(57)【特許請求の範囲】
【請求項１】
天板の後端と幕板の上端部間に開口部を設け、開口部に着脱可能且つ開閉可能に配線カバーを設けた配線機構部を設けるとともに、後端部にバックパネルの板厚の一部又は全部を重ねた状態で立設した机において、前記バックパネルの前面下端部が、下方になるにつれて後退した形状であり、前記配線カバーは、前記バックパネルの下端部で形成される後退空間を利用して、傾斜状態で後部を前記開口部内に落とし込むことによって回動支持されるとともに、後部を回動中心として開閉可能であることを特徴とするパネル付き机の配線装置。
【請求項２】
前記配線カバーは、略垂直な開放状態では前記バックパネルの表面に最接近状態で保持されるものである請求項１記載のパネル付き机の配線装置。
【請求項３】
前記配線カバーの表面の閉塞板の後部で、開放状態のとき前記バックパネルの下端部で形成される後退空間に収容される位置に、後側が高くなった段部を形成している請求項１又は２記載のパネル付き机の配線装置。
【請求項４】
前記バックパネルの下枠が、上部に基板を有し、該基板の両側縁に断面ヘ字形の側壁板が一体形成され、前記基板と両側壁板とで下方開放した開口溝を形成し、該開口溝を形成する両側壁板の下部は下方になるにつれて直線状に狭まった傾斜板となっており、前記配線カバーを、前記下枠の傾斜板に沿い且つ接近させた傾斜状態で後部を開口部内に落とし込むことによって回動支持される請求項１〜３何れか１項に記載のパネル付き机の配線装置。
【請求項５】
前記下枠の上部の厚みに対して傾斜板の下端の外側間隔は１／２以下となっている請求項４記載のパネル付き机の配線装置。
【発明の詳細な説明】
【技術分野】
【０００１】
本発明は、パネル付き机の配線装置に係わり、更に詳しくは配線機能を有する机の後部にバックパネル立設したパネル付き机の配線装置に関するものである。
【背景技術】
【０００２】
従来から、机の天板上に立設するバックパネル、サイドパネルあるいは床面に設置するロングパネルとして、両側枠の上下端に上枠と下枠を連結するとともに、それらでパネル体を保持した構造ものは各種提供されている。そして、前記側枠、上枠及び下枠は、アルミ押出し型材を用いて構成することも周知である。
【０００３】
特許文献１には、パネルの下枠として、上部にパネル体を支持する基板を有し、該基板の両側縁に両側壁板を一体形成し、該両側壁板は下方に延び、下端部を内方へ若干湾曲させた形状とし、基板と両側壁板とで下方開放した開口溝を形成した断面形状のものが提供されている。前記側壁板の下端を内方へ湾曲させているのは、パネル全体の丸みを帯びた意匠性を統一するためであり、機能的には何ら意味をなさない。
【０００４】
一方、天板の後端と幕板の上端部間に開口部を設け、その内部にコード受け部を設けるとともに、開口部に開閉可能に配線カバーを設けた配線機能付き机も各種提供されている。この場合、机の後端部には、バックパネルが立設され、前記配線カバーは該バックパネルに干渉されないように開閉可能に設けている。前記バックパネルは、その板厚の半分が机の後端部に重なった状態で立設されるので、その分だけ机の上面が狭くなることは避けられない。
【０００５】
特許文献２には、前記天板の後端縁と所定距離を隔てた位置に、該後端縁と略平行に前記天板の左右方向の略全長にわたって設けられる支持部材と、該支持部材により、前記後端縁と略平行な水平軸まわりに回動可能に支持され、前記天板の左右方向の略全長にわたって設けられるカバー体と、該カバー体の前記天板の後端縁方向の両側端の少なくともどちらかに装着されたサイドキャップに設けた凸部が、前記支持部材に設けた凹部に弾性的に係合することにより、前記カバー体を開いて該カバー体が上方に略垂直となった状態において、該カバー体の位置を保持する保持手段とを備えた構造が開示されている。
【０００６】
ここで、前記配線カバーを水平な閉止状態としたときには天板と略面一となり、略垂直な開放状態としたときには、前記バックパネルの前面に接近した状態となるが、当然、配線カバーの回動中心は前記バックパネルの前面より前側に設定する必要がある。また、バックパネルを立設したまま、配線カバーを着脱可能にするためにも、その着脱作業がバックパネルに干渉されないように、配線カバーの回動中心は前記バックパネルの前面より十分に前側に設定する必要がある。しかし、回動中心を前側に設定すると、配線カバーを開放した状態で配線作業に使用できる実効開口部が狭くなるといった不都合が生じる。
【先行技術文献】
【特許文献】
【０００７】
【特許文献１】実開平６−３４５２７号公報
【特許文献２】特許第４３６０２８７号公報
【発明の概要】
【発明が解決しようとする課題】
【０００８】
そこで、本発明が前述の状況に鑑み、解決しようとするところは、パネルの下端部の構造を工夫することにより、机の上面を広く使用することができるとともに、机の後端部に沿って配線機構部を設け、その開口部に着脱可能且つ開閉可能に配線カバーを設ける場合にも配線カバーの着脱作業が容易であるとともに、配線カバーの開放状態での実効開口部を広くできて、配線作業が容易になるパネル付き机の配線装置を提供する点にある。
【課題を解決するための手段】
【０００９】
本発明は、前述の課題解決のために、天板の後端と幕板の上端部間に開口部を設け、開口部に着脱可能且つ開閉可能に配線カバーを設けた配線機構部を設けるとともに、後端部にバックパネルの板厚の一部又は全部を重ねた状態で立設した机において、前記バックパネルの前面下端部が、下方になるにつれて後退した形状であり、前記配線カバーは、前記バックパネルの下端部で形成される後退空間を利用して、傾斜状態で後部を前記開口部内に落とし込むことによって回動支持されるとともに、後部を回動中心として開閉可能であることを特徴とするパネル付き机の配線装置を構成した（請求項１）。
【００１０】
ここで、前記配線カバーは、略垂直な開放状態では前記バックパネルの表面に最接近状態で保持されるものであることが好ましい（請求項２）。
【００１１】
また、前記配線カバーの表面の閉塞板の後部で、開放状態のとき前記バックパネルの下端部で形成される後退空間に収容される位置に、後側が高くなった段部を形成していることもより好ましい（請求項３）。
【００１２】
具体的には、前記バックパネルの下枠が、上部に基板を有し、該基板の両側縁に断面ヘ字形の側壁板が一体形成され、前記基板と両側壁板とで下方開放した開口溝を形成し、該開口溝を形成する両側壁板の下部は下方になるにつれて直線状に狭まった傾斜板となっており、前記配線カバーを、前記下枠の傾斜板に沿い且つ接近させた傾斜状態で後部を開口部内に落とし込むことによって回動支持されるように構成することがより好ましい（請求項４）。
【００１３】
また、前記下枠の上部の厚みに対して傾斜板の下端の外側間隔は１／２以下となっていることが好ましい（請求項５）。
【発明の効果】
【００１４】
以上にしてなる請求項１に係る発明のパネル付き机の配線装置は、天板の後端と幕板の上端部間に開口部を設け、開口部に着脱可能且つ開閉可能に配線カバーを設けた配線機構部を設けるとともに、後端部にバックパネルの板厚の一部又は全部を重ねた状態で立設した机において、前記バックパネルの前面下端部が、下方になるにつれて後退した形状であり、前記配線カバーは、前記バックパネルの下端部で形成される後退空間を利用して、傾斜状態で後部を前記開口部内に落とし込むことによって回動支持されるとともに、後部を回動中心として開閉可能であるので、バックパネルの下端部が形成する後退空間によって前記机の上面を広く使用することができ、また配線カバーの回動中心をより後側に設定しても、バックパネルに干渉されず、配線カバーを開口部内に装着することができ、それにより実効開口部を広くすることができ、配線作業が容易になるのである。また、バックパネルの下端を机の上面に接触又は最接近させて立設して目隠し作用を高めた場合でも、後退空間が存在するので配線カバーの開口部内への装着作業用空間を確保できる。
【００１５】
請求項２によれば、前記配線カバーは、略垂直な開放状態では前記バックパネルの表面に最接近状態で保持されるものであるので、実効開口部を更に広くすることができ、配線作業が容易になるのである。
【００１６】
請求項３によれば、前記配線カバーの表面の閉塞板の後部で、開放状態のとき前記バックパネルの下端部で形成される後退空間に収容される位置に、後側が高くなった段部を形成しているので、配線カバーの段部の高さだけ、更に配線カバーの回動中心を後側に設定することができ、しかも段部は開閉カバーが略垂直な開放状態のときに前記下枠の傾斜板で形成する後退空間に収容されるので、バックパネルに全く干渉せず、実効開口部を最大にすることができるのである。
請求項４によれば、前記バックパネルの下枠が、上部に基板を有し、該基板の両側縁に断面ヘ字形の側壁板が一体形成され、前記基板と両側壁板とで下方開放した開口溝を形成し、該開口溝を形成する両側壁板の下部は下方になるにつれて直線状に狭まった傾斜板となっており、前記配線カバーを、前記下枠の傾斜板に沿い且つ接近させた傾斜状態で後部を開口部内に落とし込むことによって回動支持されるので、バックパネルを下枠の傾斜板で後退空間が形成され、また配線カバーを傾斜板に沿った傾斜状態で後部を前記開口部内に落とし込むことができ、配線カバーの回動中心を更に後側に設定することができるとともに、外観性にも優れたものとなる。また、下枠の強度が高く、前記開口溝を利用して他の部材を受けることもできる。
【００１７】
請求項５によれば、前記下枠の上部の厚みに対して傾斜板の下端の外側間隔は１／２以下となっているので、下枠の開口溝の幅を有効利用できる程度に確保しつつ、傾斜板によって形成される後退空間を広くすることができるのである。
【図面の簡単な説明】
【００１８】
【図１】天板の上位にバックパネルとサイドパネルを設けた机の正面図である。
【図２】同じくバックパネルとサイドパネルを設けた机の側面図である。
【図３】背後にロングパネルを設け、天板の側端上位にサイドパネルを設けた机の側面図である。
【図４】バックパネルの支持構造を示す部分分解斜視図である。
【図５】サイドパネルの後部とバックパネルとの連結構造を示す部分縦断面図である。
【図６】配線カバーの開閉機構部を示す分解斜視図である。
【図７】端部支承具に配線カバーを装着する状態を示す部分分解断面図である。
【図８】端部支承具に対して配線カバーを閉じた使用状態を示す部分断面図である。
【図９】端部支承具に対して配線カバーを開いた使用状態を示す部分断面図である。
【図１０】端部支承具に対して配線カバーを閉じる途中の状態を示す部分断面図である。
【図１１】配線カバーのカバー本体に形成した段部とバックパネルの下枠の傾斜板との関係を示す部分縦断面図である。
【図１２】ロングパネルの袖キャビネットへの支持構造を示す部分分解斜視図である。
【図１３】同じくロングパネルを袖キャビネットへ取付けた状態を示す部分縦断面図である。
【図１４】ロングパネルの脚部材への支持構造を示す部分分解斜視図である。
【発明を実施するための形態】
【００１９】
次に、添付図面に示した実施形態に基づき、本発明を更に詳細に説明する。図１〜図３は本発明を適用した机を示し、図４及び図５はバックパネルを取付ける構造を示し、図６〜図１０は配線カバー及びその開閉機構部を示し、図１２〜図１４はロングパネルを取付ける構造を示し、図中符号１は机、２は脚部材、３は袖キャビネット、４は幕板、５は天板、６はサイドエッジ、７はバックパネル、８はロングパネル、９はサイドパネルをそれぞれ示している。
【００２０】
本発明に係る机１は、片袖タイプを示し、一側に脚部材２を配し、他側に袖キャビネット３を配し、脚部材２と袖キャビネット３の後端部側面間に幕板４を連結し、そして脚部材２と袖キャビネット３の上面に天板５を連結したものである。平机タイプでは、両側に脚部材２，２を配設し、両袖タイプでは両側に袖キャビネット３，３を配置する。前記天板５は、大部分が金属製であり、両側面に合成樹脂製のサイドエッジ６を装着している。更に、図１及び図２は、前記机１の後端部上位にはバックパネル７を設けるとともに、両側にサイドパネル９を設けたものである。前記サイドパネル９は天板５の一側に設けることもある。また、図３は、前記机１の背後に接近させてロングパネル８を設けたものである。
【００２１】
前記天板５の後端は、前記脚部材２及び袖キャビネット３の後端よりも前方に位置し、天板５の後端と幕板４の上端との間に、配線機構部１０の開口部１１を形成している。そして、前記開口部１１の上部開口部１１Ａには配線カバー１２が開閉可能に設けられている。前記配線カバー１２を開閉可能に支持する端部支承具１３，１３を前記脚部材２の上面後端部及び前記袖キャビネット３の上面の後外側角部に取付けている。また、前記幕板４の上端と前記配線カバー１２の下面との間には後部開口部１１Ｂが形成されている。
【００２２】
本発明のパネル付き机の配線装置は、天板５の後端と幕板４の上端部間に開口部１１を設け、開口部１１に着脱可能且つ開閉可能に配線カバー１２を設けた配線機構部１０を設けるとともに、後端部にバックパネル７の板厚の一部又は全部を重ねた状態で立設した机１において、前記バックパネル７の前面下端部が、下方になるにつれて後退した形状であり、前記配線カバー１２は後部を回動中心として開閉可能であるものである。そして、前記配線カバー１２は、前記バックパネル７の下端部で形成される後退空間を利用して、傾斜状態で後部を前記開口部１１内に落とし込むことによって回動支持され、略垂直な開放状態では前記バックパネル７の表面に最接近状態で保持されるものである。
【００２３】
図４に示すように、金属製の天板５の一側面を構成する薄金属板製の側部材１４に沿って合成樹脂製の長尺サイドエッジ６を取付ける。サイドエッジ取付構造は、前記側部材１４に複数の係合孔１５，…を形成するとともに、側部材１４の上端に複数の横長スリット孔１６，…を形成する一方、前記サイドエッジ６の裏面に前記係合孔１５に挿入し且つ後方向に移動させることによって抜止め状態で遊嵌する係合爪（図示せず）を突設するとともに、前記スリット孔１６に密嵌する突片１７，…を突設し、前記係合爪をそれぞれ係合孔１５に抜止め係合するとともに、前記スリット孔１６に突片１７を密嵌して上下方向の位置決めを行った状態で取付ける。前記サイドエッジ６の前後端部の外側には、サイドパネル９等の他のオプションを支持するための支持金具をネジ止めする装着用凹部１８，１８を設け、該凹部１８には着脱自在にカバー１９が取付けられるようになっている。そして、前記凹部１８内で通孔２０を通してネジ２１を側部材１４に螺合する。
【００２４】
前記バックパネル７、ロングパネル８及びサイドパネル９は、大きさが異なる以外は同じ構造である。図４及び図５に示すように、それぞれアルミ押出し型材で作製した両側枠２２，２２の上下端間に上枠２３及び下枠２４をネジ止め連結し、その間にパネル体２５を保持した構造である。そして、前記側枠２２と上枠２３の端部には合成樹脂製の上部コーナーキャップ２６を嵌着し、前記側枠２２と下枠２４の端部には合成樹脂製の下部コーナーキャップ２７を嵌着している。前記側枠２２は、前記パネル体２５の内部に固定する固定部２８と外部に露出する断面外形が略四角形の枠部２９とからなり、該枠部２９の長辺側面、即ちサイドパネル９の側端面に対応する面の両側部と、二つの短辺側面の中央部にそれぞれ開口縁が狭く内部が広がった形状の嵌合溝３０，…を形成し、更に枠部２９の内部に挿入孔３５を形成している。また、前記下枠２４は、図４及び図７に示すように、上部に基板３１を有し、該基板３１の両側縁に断面ヘ字形の側壁板３２が一体形成され、前記基板３１と両側壁板３２，３２とで下方開放した開口溝３３を形成している。前記開口溝３３を形成する両側壁板３２，３２の下部は下方になるにつれて直線状に狭まった傾斜板３４，３４となっている。この傾斜板３４によって、バックパネル７の下端部前側に後退空間が形成される。前記下枠２４の上部の厚みに対して傾斜板３４，３４の下端の外側間隔は１／２以下となっている。そして、前記バックパネル７は、板厚の半分が机１の後端部に重なった状態で立設されるが、前記下枠２４に傾斜板３４を形成しているので、該傾斜板３４によって後退空間が形成され、机１の上面を広く使用することができる。前記ロングパネル８は、床面に設置するので、下端にアジャスター２７Ａを、前記下部コーナーキャップ２７を利用して設けている。
【００２５】
そして、前記サイドパネル９の前部の支持には、前記サイドエッジ６の前側の凹部１８に下端部を取付けた支持金具（図示せず）の上方へ延びた支持板を、前記サイドパネル９の前側の側枠２２に形成した挿入孔３５をスライド係合させる。ここで、前記下部コーナーキャップ２７には、前記挿入孔３５に対応する部分は上下に貫通した開口３６となっている。また、前記サイドパネル９の後端を前記バックパネル７の側端部に連結するには、合成樹脂製の帯状部材であり、両側縁部が膨出した断面Ｉ字形の連結部材３７を用いる。前記バックパネル７の側枠２２の前側の嵌合溝３０と、前記サイドパネル９の後方の側枠２２の後端面の内側の嵌合溝３０とに、前記連結部材３７の膨出部３８，３８をそれぞれ上方から挿入して連結する。
【００２６】
一方、前記サイドパネル９の後端を前記ロングパネル８の側端部に連結するにも、前記連結部材３７を用いる。この場合も、前記ロングパネル８の横幅は、机１の横幅と一致し、机１の背後に接近して立設されている。前記サイドパネル９は、前記同様に板厚の半分が天板５の上面側端部に重なった状態で天板５の上位に立設されるが、該サイドパネル９の後端位置は、前記机１の後端に一致する。従って、前記バックパネル７、あるいはロングパネル８の板厚の半分だけ、前述の場合より後方位置にサイドパネル９が取付けられる。この場合も、前記ロングパネル８の側枠２２の前側の嵌合溝３０と、前記サイドパネル９の後方の側枠２２の後端面の内側の嵌合溝３０とに、前記連結部材３７の膨出部３８，３８をそれぞれ上方から挿入して連結する。
【００２７】
次に、前記バックパネル７の取付構造を、図４及び図５に基づいて簡単に説明する。前記脚部材２の上面後端部（図５参照）及び前記袖キャビネット３の上面の後外側角部（図４参照）が取付部分となり、この部分に支持金具３９をネジ止めして垂設する。支持金具３９は、下端に水平な取付板４０を有し、該取付板４０の側縁から側面視Ｌ字形の支持板４１が直角に上方へ延び、前記取付板４０には取付孔４２，４２を形成し、前記支持板４１の上下部には嵌合穴４３，４３を形成し、該嵌合穴４３，４３を利用して合成樹脂製のスライダー４４，４４を嵌着している。そして、前記支持金具３９の取付板４０を、取付孔４２，４２に通した固定ネジ４５，４５で脚部材２の上面及び袖キャビネット３の上面に螺着している。また、前記支持金具３９の取付板４０及び支持板４１の下部は、前記配線機構部１０の配線カバー１２を開閉可能に支持する端部支承具１３で隠蔽される。そして、前記バックパネル７の側枠２２の挿入孔３５に、前記支持板４１を挿入し、スライダー４４，４４を密接しながらスライド係合させるのである。前記バックパネル７は、両側端部を両支持金具３９，３９で立起状態に支持される。
【００２８】
本実施形態の前記机１は、図７に示すように、天板５後端と幕板４の上端との間に配線機構部１０を設け、該配線機構部１０の上部開口部１１Ａに配線カバー１２の両端部を端部支承具１３，１３で支持して開閉可能に設けるとともに、配線機構部１０内で前記幕板４の上縁に取付けたエッジ部材４６に配線受け具４７を設けている。また、前記配線カバー１２の遊端部、即ち前端部を当止して撓みを防止するために、前記天板５の後端の左右中間部の適所にブロック状の中間支持部材４８を取付けている。
【００２９】
前記配線カバー１２は、図６〜図１０に示すように、前記配線機構部１０の上部開口部１１Ａを開閉すべく、両端部を端部支承具１３，１３で回転可能に支持するとともに、該端部支承具１３に対して着脱を容易にした構造である。また、前記配線カバー１２は、水平な閉止状態と略垂直な開放状態とに弾性的に状態保持できるようになっている。
【００３０】
具体的には、前記配線カバー１２は、図６に示すように、金属製の板金加工品あるいはアルミニウム又は合成樹脂の押出し成形品からなるカバー本体４９の両端に、合成樹脂製の端部材５０，５０を取付けて構成している。本実施形態のカバー本体４９は、板金加工品であり、前記配線機構部１０の上部開口部１１Ａを塞ぐ閉塞板５１の後端部に下方斜め前方に向いた斜板５２を形成するとともに、該斜板５２の前縁に立上片５３を形成し、閉塞板５１の前縁に断面略Ｚ字形に折曲した前片５４を形成し、また閉塞板５１の後部で開放状態のとき前記バックパネル７の下枠２４の傾斜板３４が作る後退空間に収容される位置に、後側が高くなった段部５５を形成して曲げ強度を高めた構造としている。そして、前記カバー本体４９の前片５４には合成樹脂製の縁部材５６を嵌着し、また前記立上片５３の切断縁を隠蔽するように合成樹脂製の保護部材５７を嵌着している。前記縁部材５６は、前方へ張り出した軟質片５８を二色成形によって一体形成している。前記配線カバー１２を閉じた状態でも、前記軟質片５８が変形して前記天板５の後端との間に配線コードを引き出せるようにしている。
【００３１】
前記カバー本体４９の端部に嵌着する端部材５０は、図６に示すように、前記閉塞板５１、斜板５２及び前片５４で形成される空間内に嵌合し、カバー本体４９の側端縁を覆う鍔部５９を形成している。そして、前記端部材５０の外側面の後部には、下方斜め後方に解放した傾斜溝６０を形成するとともに、該傾斜溝６０の下方開放側の下側に第１係合凹部６１と上側に弾性的な第２係合凹部６２を形成し、更に外側面の前後中央部には下方へ向いた弾性的なリップ片６３を形成している。ここで、前記傾斜溝６０の深さは、前記第１係合凹部６１及び第２係合凹部６２よりも深く設定し、前記第１係合凹部６１及び第２係合凹部６２は傾斜溝６０に連通している。具体的には、前記傾斜溝６０の上端部を中心とした円弧溝を該傾斜溝６０に交差するように形成し、その円弧溝の傾斜溝６０より下方部分を前記第１係合凹部６１とし、円弧溝の傾斜溝６０より上方部分を前記第２係合凹部６２としたのである。また、前記第２係合凹部６２の一部を内外へ弾性変形可能な弾性片６４で構成している。そして、両側の端部材５０，５０は、反対称形である。
【００３２】
一方、前記端部支承具１３は、前記脚部材２の上面後端部あるいは前記袖キャビネット３の上面の外側後端部に取付けて、両側の端部支承具１３，１３間に配置した前記配線カバー１２を開閉可能に支持する。具体的には、図６に示すように、前記端部支承具１３の内側面後部には、上側に前記傾斜溝６０に係合して配線カバー１２を回動可能に支持する軸部６５を突設するとともに、その下方に前記第１係合凹部６１又は第２係合凹部６２に係合する規制ピン６６を突設し、更に内側面中央部には配線カバー１２の閉止時に前記リップ片６３の先端部を係止する突部６７と、該リップ片６３を突部６７まで案内する円弧状の案内部６８を形成している。ここで、前記軸部６５の突出高さは、前記規制ピン６６の突出高さよりも高く設定し、前記軸部６５が、前記第１係合凹部６１又は第２係合凹部６２に進入しないようにしている。また、前記案内部６８の円弧面に対する前記軸部６５の中心までの距離は、下方になるにつれて短くなるように設定している。そして、前記突部６７の先端と前記軸部６５の中心までの距離が最短となっている。
【００３３】
そして、図７に示すように、前記配線カバー１２の両側の端部材５０，５０に形成した傾斜溝６０，６０の方向を略垂直に向けた状態で、後部を上部開口部１１Ａ内に落とし込むことによって、前記傾斜溝６０，６０に、両側に取付けた前記端部支承具１３，１３のそれぞれの軸部６５と規制ピン６６を受け入れ、該軸部６５を傾斜溝６０の上端部に回動可能に係合させる。この際に、前記傾斜溝６０は前記第１係合凹部６１及び第２係合凹部６２よりも深く形成し、前記軸部６５を規制ピン６６よりも突出高さを高く設定しているので、前記軸部６５が不意に第２係合凹部６２や第１係合凹部６１に進入することがなく、スムーズに傾斜溝６０の上端部まで係合させることができる。その後、前記配線カバー１２を、前記軸部６５を中心に下方へ回動させて略水平状態にすると、前記規制ピン６６が第１係合凹部６１に係合するとともに、前記リップ片６３の先端部が案内部６８で案内され、該リップ片６３が弾性変形しながら突部６７を超えて該突部６７の下側に係止する。この状態で、前記配線カバー１２が配線機構部１０の上部開口部１１Ａを閉止した状態を維持する（図８参照）。この閉止状態では、前記規制ピン６６に第１係合凹部６１が係合しているので、配線カバー１２の後部を持ち上げても外れることは全くない。また、前記リップ片６３の先端が突部６７に弾性係合しているので、配線カバー１２をガタつきなく保持できる。
【００３４】
そして、前記配線カバー１２の前片５４と縁部材５６の間の段部に指をかけて持ち上げ、前記リップ片６３の先端と突部６７の係合を解除すると、該リップ片６３の先端は案内部６８に弾性圧接された状態となるので、該リップ片６３の弾性復元力によって案内部６８を摺動して配線カバー１２の前部を上方へ若干持ち上げる。その状態になると、前記縁部材５６に指を掛けることができ、前記配線カバー１２を、前記軸部６５を中心に上方へ回動させて、前記規制ピン６６を傾斜溝６０が通過して該配線カバー１２を略垂直状態にすると、前記規制ピン６６に第２係合凹部６２が弾性的に係合して開放状態を維持する（図９参照）。この開放状態で前記配線カバー１２を持ち上げても、前記規制ピン６６に第２係合凹部６２が係合しているので外れることはない。
【００３５】
また、前記配線カバー１２を開放状態から下方へ押し下げると、前記規制ピン６６と第２係合凹部６２との弾性係合状態が解除されて自由回転するが、図１０に示すように、前記リップ片６３の先端が前記案内部６８に当接し、当該配線カバー１２の下方への回転が弱まり、やがて釣り合って停止する。その状態から、前記配線カバー１２の手前側を強制的に押し下げると、前記リップ片６３の先端が前記突部６７を乗り越えてその下方側に弾性的に係止するのである（図８参照）。
【００３６】
また、図１及び図６に示すように、前記配線カバー１２が閉止状態で、前縁部を当止して撓みを防止するために、前記天板５の後端部の左右中間部にブロック状の中間支持部材４８を取付けて、その上面の当止部６９に前記縁部材５６を当止するようにしている。前記中間支持部材４８を天板５の後端に取付ける構造は任意であるが、本実施形態では中間支持部材４８の前側上部に前記天板５の後端下部に係合する凹陥部７０を形成し、該凹陥部７０の上部両側に上向きフック７１，７１を突設するとともに、該凹陥部７０の下部中央部に上向き係合爪７２を突設している。一方、前記天板５の後端面の適所には、前記中間支持部材４８の上向きフック７１，７１を挿入する角孔（図示せず）を形成するとともに、前記天板５の下面後端部に前記上向き係合爪７２を係合する係合孔（図示せず）を形成している。前記中間支持部材４８を取付ける個数は任意であり、天板５の横幅の広狭に応じて決定する。
【００３７】
前記バックパネル７の下枠２４は、前述のように、下方に開放した開口溝３３を形成し、該開口溝３３を形成する両側壁板３２，３２の下部が下方になるにつれて直線状に狭まるように傾斜板３４，３４となっている。従って、図７に示すように、前記配線カバー１２を両側の端部支承具１３，１３に装着する際に、前記カバー本体４９の閉塞板５１を前記傾斜板３４に略平行にして上部開口部１１Ａ内に挿入することができ、前記端部支承具１３の軸部６５と規制ピン６６が、前記バックパネル７の前面の直下近傍に位置していても、傾斜溝６０に軸部６５と規制ピン６６を受け入れることができる。つまり、前記軸部６５を最も後方に設定できるので、図９に示すように、前記配線カバー１２を略垂直に開放した状態では、該配線カバー１２をバックパネル７の表面に最接近状態にすることができ、それによって配線機構部１０の上部開口部１１Ａを大きく開放して、配線作業を容易に行うことができるのである。
【００３８】
そして、図１１に示すように、前記配線カバー１２の閉塞板５１に設けた前記段部５５の段差を大きくし、該配線カバー１２を垂直に開放した状態で、該段部５５より下部を前記バックパネル７の下枠２４の傾斜板３４によって後退した部分に位置させることにより、軸部６５と傾斜溝６０の上端部による回動中心位置を更に後方位置に設定することができ、それにより開放状態で上部開口部１１Ａを更に広く開放することができ、配線作業が容易になるのである。また、前記配線カバー１２に段部５５を設けたことによるその他の効果としては、配線カバー１２の上に配線タップなどを配置するときの位置決め、配線カバー１２の裏面の保護部材５７の取付けの位置決め、配線カバー１２のカバー本体４９の強度アップなどを挙げることができる。
【００３９】
次に、前記配線機構部１０の内部の構造について簡単に説明する。図７及び図８に示すように、前記幕板４の上端に前方へ折曲して上縁補強枠７３を形成するとともに、該幕板４の上縁補強枠７３と配線カバー１２の間に後部開口部１１Ｂを設け、前記上縁補強枠７３に係合する係合部７４と前記後部開口部１１Ｂを塞ぐ軟質部７５とを有するとともに、前記係合部７４の前面側にフック片７６を形成したエッジ部材４６を幕板４の上縁補強枠７３の全長にわたり装着し、前記配線受け具４７は下部にコード受け部７７と上端部に前記フック片７６に係止する係止部７８を設け、該配線受け具４７の係止部７８を前記エッジ部材４６のフック片７６に係脱可能に係止した構造である。
【００４０】
更に、前記配線受け具４７の係止部７８の上方に突出部７９を設け、該配線受け具４７の係止部７８を前記エッジ部材４６のフック片７６に係止した状態で、前記突出部７９で前記配線カバー１２の下端を間接的又は直接的に当止するようにしている。前記配線受け具４７を複数に分割して前記エッジ部材４６に係止して設ける場合には、外した配線受け具４７の上端部の突出部７９を、他の配線受け具４７のコード受け部７７の下面に形成した係合溝８０に側方からスライド係合させて上下に連結する。前記突出部７９の先端と、前記係合溝８０は、断面略Ｔ字形に形成している。前記エッジ部材４６は、硬質合成樹脂からなる係合部７４は、後方へ開放した凹溝部とその下側面に前記幕板４の上縁補強枠７３の下側折り返し片８１に係止する係止段部８２とを備えている。本実施形態では、図８に示すように、前記軟質部７５の舌片を介して間接的に前記配線カバー１２の下端を当止し、該配線カバー１２の撓みを防止している。
【００４１】
前記配線受け具４７は、前記係止部７８を、前記エッジ部材４６のフック片７６に係止した状態で姿勢を保つために、コード受け部７７の背面に突設した当止部８３を前記幕板４の表面板８４の前側に当止するようになっている。前記上縁補強枠７３は、前記表面板８４の上縁を前側へ直角に折曲し、その前縁を下方へ直角に折曲し、更にその下縁を後方へ直角に折曲して前記折り返し片８１を形成して構成している。
【００４２】
最後に、前記ロングパネル８の取付構造を、図１２〜図１４に基づいて簡単に説明する。前記ロングパネル８は、机１の背後に接近させて前記脚部材２の後端部（図１３、図１４参照）及び前記袖キャビネット３の後端部（図１２参照）に取付ける。それには、下部受け金具８５と上部押え金具８６を用いる。前記下部受け金具８５は、前記脚部材２の背面下端部と、前記袖キャビネット３の背面の外側下端部に形成した横長の角孔８７に嵌合係止する係止片８８を形成するとともに、該係止片８８の下端に前記下枠２４の一方の傾斜板３４を係止する断面略コ字形の受部８９を形成したものであり、棚受具と同じ構造である。また、前記上部押え金具８６は、前記支持金具３９の取付板４０を取付ける場合と同じ場所に取付ける取付板９０と、該取付板９０の外側後端部から後方へ延びた上向き爪片９１を形成した形状であり、取付板９０には取付孔９２，９２を形成し、前記固定ネジ４５，４５で前記同様に螺着する。前記ロングパネル８の側枠２２の前面側の嵌合溝３０の内奥の区画壁で前記上向き爪片９１の高さに縦長の角孔９３を形成している。そして、前記下部受け金具８５の係止片８８を角孔８７に係止し、その受部８９で前記ロングパネル８の下枠２４の一方の傾斜板３４を受けた後、前記上部押え金具８６の取付板９０を持ち上げた状態で上向き爪片９１を前面側の嵌合溝３０から差し入れ角孔９３に挿入し、前記取付板９０を所定の取付位置まで押し上げて固定ネジ４５で取付ける。つまり、前記ロングパネル８は、下部受け金具８５と上部押え金具８６で挟まれた状態で支持される。また、この場合も上部押え金具８６の大部分は、前記端部支承具１３で隠蔽される。
【符号の説明】
【００４３】
１  机、                    ２  脚部材、
３  袖キャビネット、        ４  幕板、
５  天板、                  ６  サイドエッジ、
７  バックパネル、          ８  ロングパネル、
９  サイドパネル、          １０  配線機構部、
１１  開口部、              １１Ａ  上部開口部、
１１Ｂ  後部開口部、        １２  配線カバー、
１３  端部支承具、          １４  側部材、
１５  係合孔、              １６  スリット孔、
１７  突片、                １８  凹部、
１９  カバー、              ２０  通孔、
２１  ネジ、                ２２  側枠、
２３  上枠、                ２４  下枠、
２５  パネル体、            ２６  上部コーナーキャップ、
２７  下部コーナーキャップ、２７Ａ  アジャスター、
２８  固定部、              ２９  枠部、
３０  嵌合溝、              ３１  基板、
３２  側壁板、              ３３  開口溝、
３４  傾斜板、              ３５  挿入孔、
３６  開口、                ３７  連結部材、
３８  膨出部、              ３９  支持金具、
４０  取付板、              ４１  支持板、
４２  取付孔、              ４３  嵌合穴、
４４  スライダー、          ４５  固定ネジ、
４６  エッジ部材、          ４７  配線受け具、
４８  中間支持部材、        ４９  カバー本体、
５０  端部材、              ５１  閉塞板、
５２  斜板、                ５３  立上片、
５４  前片、                ５５  段部、
５６  縁部材、              ５７  保護部材、
５８  軟質片、              ５９  鍔部、
６０  傾斜溝、              ６１  第１係合凹部、
６２  第２係合凹部、        ６３  リップ片、
６４  弾性片、              ６５  軸部、
６６  規制ピン、            ６７  突部、
６８  案内部、              ６９  当止部、
７０  凹陥部、              ７１  上向きフック、
７２  上向き係合爪、        ７３  上縁補強枠、
７４  係合部、              ７５  軟質部、
７６  フック片、            ７７  コード受け部、
７８  係止部、              ７９  突出部、
８０  係合溝、              ８１  折り返し片、
８２  係止段部、            ８３  当止部、
８４  表面板、              ８５  下部受け金具、
８６  上部押え金具、        ８７  角孔、
８８  係止片、              ８９  受部、
９０  取付板、              ９１  爪片、
９２  取付孔、              ９３  角孔。
【図１】
0005672857.tif 000002
【図２】
0005672857.tif 000003
【図３】
0005672857.tif 000004
【図４】
0005672857.tif 000005
【図５】
0005672857.tif 000006
【図６】
0005672857.tif 000007
【図７】
0005672857.tif 000008
【図８】
0005672857.tif 000009
【図９】
0005672857.tif 000010
【図１０】
0005672857.tif 000011
【図１１】
0005672857.tif 000012
【図１２】
0005672857.tif 000013
【図１３】
0005672857.tif 000014
【図１４】
0005672857.tif 000015